(57)【要約】      （修正有）【課題】プロ野球観戦などにおいて振ったり叩いたりして使用するバット型応援具に、風船膨らまし機能を持たせる。【解決手段】中空構造のバット型応援具１１であって、バットのヘッドからグリップにかけての形態を模した円形断面の本体ケース２１と、本体ケースのヘッド側部分の開口部２２に対して固定され開口部を閉塞する閉塞板３１と、閉塞板に設けられたエア噴出ノズル３２と、上記本体ケースのうちバットのヘッド側に設けられた直線状部２４内を上記閉塞板に対して進退し、エア噴出ノズルからエアを噴出させるピストンヘッド４３と、ピストンヘッドに先端部が固定されてピストンヘッドを往復動させるピストンロッド４２とを有したバット型応援具。【選択図】図３
0003131226.tif 000002
【実用新案登録請求の範囲】
【請求項１】
振ったり叩いたりして使用されるバット型をなす中空構造のバット型応援具であって、
一端に開口部を有する同径筒状の直線状部を備えるとともに、該直線状部に直線状部よりも小径または大径となる変形部が直接または間接的に設けられた本体ケースと、
該本体ケースの上記開口部に固定され開口部を閉塞する閉塞板と、
該閉塞板に設けられたエア噴出ノズルと、
上記直線状部内を閉塞板に対して進退し、上記エア噴出ノズルからエアを噴出させるピストンヘッドと、
該ピストンヘッドに先端部が固定されてピストンヘッドを往復動させるピストンロッドとを有した
バット型応援具。
【請求項２】
前記エア噴出ノズルが本体ケースにおけるバットのヘッド側に形成され、前記ピストンロッドの基端部に、バットのグリップ又はグリップエンドを模した象形部材が固定された
請求項１に記載のバット型応援具。
【請求項３】
前記エア噴出ノズルが本体ケースにおけるバットのグリップ側に形成され、前記ピストンロッドの基端部に、バットのヘッド側部分を模した象形部材が固定された
請求項１に記載のバット型応援具。
【請求項４】
前記本体ケースが、筒状をなす合成樹脂成形品である
請求項１から請求項３のうちいずれか一項に記載のバット型応援具。
【請求項５】
前記ピストンヘッドを往復動させるときに、相互に接離する部位の対向面またはその近傍に、相互の接合状態を保持する接合手段が設けられた
請求項１から請求項４のうちいずれか一項に記載のバット型応援具。
【請求項６】
前記エア噴出ノズル部に対して着脱可能で、エアを吹き込むと音を発する笛部材を備えた
請求項１から請求項５のうちのいずれか一項に記載のバット型応援具。
【考案の詳細な説明】
【技術分野】
【０００１】
この考案は、たとえばプロ野球観戦などのスポーツ観戦において用いられる応援具に関し、より詳しくは、振ったり叩いたりして用いられるバット型応援具に関する。
【背景技術】
【０００２】
バット型応援具は上述のように振ったり叩いたりして用いられるが、両端が開口したメガホン型のものを除けば、他の機能を有するものはない。
【０００３】
ところで、プロ野球観戦においては、７回の攻撃が始まる場面に際して一斉に「ジェット風船」（登録商標）と呼ばれる風船を飛ばすことが行われている。
【０００４】
この風船飛ばしは、プロ野球観戦における大きなイベントの一つして、近年ではすっかり定着しており、醍醐味のあるものである。この瞬間を心待ちにしている観客も多い。
【０００５】
しかし、風船を膨らます作業は、息を吐く力や肺活量が必要で、女性や子どもには一般に困難である。
【０００６】
また、膨らませる作業をしているときには、声を出せず、飲食することもできない。
【０００７】
さらに、通常は、風船を膨らませてから飛ばす瞬間までの間、親指で風船の口金部分を押えた状態でそのタイミングを待つのであるが、７回表の守りが長引いたりすると、膨らませた風船をそのままの状態で持っているのが苦痛に感じることがあった。また、待っている間は手を自由に使うことができず、手の疲労も相俟って、飛ばすべきタイミングよりも早く風船を不測に放してしまうこともあった。
【０００８】
なお、風船を膨らまして発射させる下記特許文献１のバット型風船発射装置が提案されている。これは、バット状に形成された筒状本体の中に、手動空気ポンプを内蔵したものである。筒状本体は半割状の２個の分割体を組み合わせて構成し、筒状本体の下端から吐出する手動空気ポンプの軸の下端にグリップ型のハンドルが取り付けられている。つまり、このバット型風船発射装置は、いわば手動空気ポンプを２個の半割体等で被覆した構成であり、それだけでも使用できる手動空気ポンプが不可欠である。このため、製造に当たっては手動空気ポンプと、これを被覆する複数の部材とをそれぞれ製造しなければならず、部品点数が多くなって構造も複雑で、重量も重い。また、発射装置を備えていることもあって、振ったり叩いたりすることはできない。つまり、風船を膨らませて発射させることにしか使えない。
【特許文献１】特開２００５−２３０１１２号公報
【考案の開示】
【考案が解決しようとする課題】
【０００９】
そこで、この考案は、構造が簡素で軽く、しかも耐衝撃性があり、風船を膨らませること以外にも使用できるようなバット型応援具の提供を主たる課題とする。
【課題を解決するための手段】
【００１０】
そのための手段は、振ったり叩いたりして使用されるバット型をなす中空構造のバット型応援具であって、一端に開口部を有する同径筒状の直線状部を備えるとともに、該直線状部に直線状部よりも小径または大径となる変形部が直接または間接的に設けられた本体ケースと、該本体ケースの上記開口部に固定され開口部を閉塞する閉塞板と、該閉塞板に設けられたエア噴出ノズルと、上記直線状部内を閉塞板に対して進退し、上記エア噴出ノズルからエアを噴出させるピストンヘッドと、該ピストンヘッドに先端部が固定されてピストンヘッドを往復動させるピストンロッドとを有したバット型応援具である。
【００１１】
すなわち、本体ケースの直線状部内に備えられたピストンヘッドを閉塞板に対してピストンロッドで往復動させると、ピストンヘッドで押されたエアが、閉塞板に設けられたエア噴出ノズルから噴出される。
【００１２】
このため、風船を膨らませる場合には、エア射出ノズルに風船の口金部分を取り付けた状態で、ピストンロッドを操作すればよい。息を吹き込んで膨らませる場合とは異なり、女性や子どもでも楽しみながら膨らませることができる。また、膨らましているときに、声を張り上げて声援したり、飲食したりすることもできる。さらに、膨らませた風船は、エア噴出ノズルに取り付けたままにしておけば、風船の口金部分を親指で押えつづける必要もなく、風船を放すべきタイミングまで容易に待つことができる。
【００１３】
また、閉塞板等の必要な部材は本体ケースに対して直接収納した簡素な構成であり、必要な部材を少なくすることができ、製造作業の容易化やコストの低減を図ることができる上に、重量を軽くすることができる。このため、振ったり叩いたりして使用する応援具としての機能も発揮できる。
【００１４】
なお、上記の手段について、以下のような態様に構成することができる。
【００１５】
その態様の一つは、上記エア噴出ノズルが本体ケースにおけるバットのヘッド側に形成され、上記ピストンロッドの基端部に、バットのグリップ又はグリップエンドを模した象形部材が固定されたものである。  
すなわち、バット型応援具のヘッド側にエア噴出ノズルが設けられ、グリップ側に、ピストンロッドを操作する部分が設けられるので、バットを通常の姿勢で持った状態で操作が可能である。このため、応援をするときと風船を膨らましたりするときとで、持ち替える必要はないので便利である。
【００１６】
態様の他の一つは、上記エア噴出ノズルが本体ケースにおけるバットのグリップ側に形成され、上記ピストンロッドの基端部に、バットのヘッド側部分を模した象形部材が固定されたものである。  
すなわち、バット型応援具のグリップ側にエア噴出ノズルが設けられ、ヘッド側に、ピストンロッドを操作する部分が設けられるので、バットを通常の姿勢で持つのではなく、バットを逆さに立てた状態で操作が可能である。このため、バット型応援具のヘッド側を座席シートの座席面やその近傍の適宜の面に押し当てたり、両膝の間に挟んで保持したりした状態で、グリップ側の部分を風船ごと往復動させて、風船を膨らましたりできる。この結果、片手でも操作可能であって、たとえば両手にそれぞれバット型応援具を持てば、一度に２個の風船を膨らませることも可能であって便利である。
【００１７】
態様の他の一つは、上記本体ケースが、筒状をなす合成樹脂成形品からなるものである。  
すなわち、半割部材を組み合わせた構造ではないので、エアの噴射時は勿論のこと、振ったり叩いたりした時の耐衝撃性、耐久性を得ることができる。
【００１８】
態様の他の一つは、上記ピストンヘッドを往復動させるときに、相互に接離する部位の対向面またはその近傍に、相互の接合状態を保持する接合手段が設けられたものである。接合手段としては、筒状をなす軟質合成樹脂製の嵌合部分や、ねじ構造、面ファスナ等を採用可能である。  
すなわち、相互に接離する部分を接合手段で接合しておけば、バット型応援具を振ったり叩いたりした時にバット型応援具が不測に伸びたりすることがなく、安全に使用できる。
【００１９】
態様の他の一つは、上記エア噴出ノズル部に対して着脱可能で、エアを吹き込むと音を発する笛部材を備えたものである。笛部材は、紐部材や鎖部材で係留しておき、たとえばグリップエンド部分などの適宜部位に収納するとよい。  
すなわち、笛部材をエア噴出ノズルに取り付ければ、ピストンロッドの操作で音を出すことができる。しかも、笛部材の構造によって、低い音や高い音など様々な音を出すこともできる。つまり、振ったり叩いたりして応援するほか、そのような動作では出せない音で応援をすることもでき、機能を拡大できるメリットを有する。
【考案の効果】
【００２０】
以上のように、この考案によれば、風船を膨らませることができる上に、振ったり叩いたりすることもできるような多機能のバット型応援具を得ることができる。
【考案を実施するための最良の形態】
【００２１】
この考案を実施するための一形態を、以下図面を用いて説明する。  
図１は、バット型応援具１１（以下、「応援具」という。）の斜視図であり、図２はその断面図である。
【００２２】
これらの図に示すように、応援具１１は中空構造で、内部に必要な部材を備えており、グリップ側を引いたり押したりするとヘッド側からエアが噴出するように構成されている。
【００２３】
すなわち、両端に開口部２２，２３を有した円形断面の中空筒状をなす本体ケース２１と、本体ケース２１の一端（ヘッド側）の開口部２２に固定され開口部２２を閉塞する閉塞板３１と、閉塞板３１に対向するように本体ケース２１内に往復動可能に収納されるピストン４１とを有する。
【００２４】
本体ケース２１は、合成樹脂成形品からなり、上記開口部２２を一端に有し、内径が所定長さの範囲において同一である直線状部２４と、該直線状部２４から一体に連設されて直線状部２４よりも徐々に小径となるテーパ面部２５と、該テーパ面部２５から一体に連設されて直線状部よりも太くなることなく略直線状に延びるグリップ面部２６とを有する形状である。
【００２５】
そして、直線状部の開口部２２には、上述のように開口部２２を閉塞する円板状の閉塞板３１が固定される。固定は、閉塞板３１の厚さの半分について行い、残りの半分を本体ケース２１から突出する状態にしておく。
【００２６】
この閉塞板３１の中央には、外方に突出するエア噴出ノズル３２が設けられている。つまり、閉塞板３１の内方からエアが押し込まれると、そのエアをエア噴出ノズル３２の先から噴出するように構成される。エア噴出ノズル３２には、図示しないが逆止弁が内蔵されており、エア噴出ノズル３２を通過したエアが戻ることはない。
【００２７】
また、エア噴出ノズル３２の先端部には、先端側ほど細くなるように傾斜する円錐状面３３を有する。この円錐状面３３は、風船８１の口金部分８２等を取り付けるための部分である。この円錐状面３３には、口金部分８２等を一時的に係止する目的で、必要に応じて、たとえば口金部分８２等を円錐状面３３に押し付けた時に口金部分８２等の口縁にカチット嵌まり逆方向に力を加えると外れるようにする突条や、一方にねじると係止して他方にねじると外れる螺旋溝、さらには弾性変位と摩擦抵抗で口金部分８２等を止めるゴム部材などを設けることができる。
【００２８】
この円錐状面３３を突出させ、その他の部分を隠蔽するように、先端の中央にぬすみ穴３４を有するカバー部材３５が本体ケース２１に一体的に固定される。カバー部材３５は、本体ケース２１の開口部２２と同一の大きさの開口部３６を有する椀状で、バットのヘッドを模した形状である。カバー部材３５の固定は、上記閉塞板３１の突出部分に対して行う。カバー部材３５及び本体ケース２１と閉塞部材３１との固定は、嵌合等の固定に加えて、接着剤やウェルダーなども行い、強固に一体化する。
【００２９】
本体ケース２１のグリップ面部２６側の開口部２３には、中央に挿通孔２７を有する円板状のエンドキャップ２８が固定され、上記ピストン４１のピストンロッド４２を摺動可能に保持する。
【００３０】
ピストン４１は、本体ケース２１の直線状部２４内に閉塞板３１に対向して備えられるピストンヘッド４３と、該ピストンヘッド４３に先端部が固定された上記のピストンロッド４２とを有する。
【００３１】
ピストンヘッド４３は、円板状で、直線状部２４の内径に応じて所定の外径を有するように形成され、外周面にはＯリング４４が保持されている。
【００３２】
そして、このピストンヘッド４３の中心に、ピストンロッド４２が固定される。固定は、ピストン４１を引いた時でもピストンヘッド４３が不測に脱落しないように、ピストンヘッド４３の上からねじ部材４５を螺合して行う。この他の適宜の固定構造であるもよい。
【００３３】
ピストンロッド４２の基端には、雄ねじ部４６が形成され、バットのグリップエンドを模したグリップエンド部材４７が固定される。ねじ止めではない他の適宜の固定構造を採用することもでき、また、一体成形することもできる。
【００３４】
また、グリップエンド部材４７の上端は平坦に形成され、図３に仮想線で示したように、ピストン４１を押し込んで、ピストンヘッド４３を閉塞板３１に近接させたときに、グリップエンド部材４７の上端面が本体ケース２１のエンドキャップ２８に当接するように形成される。ピストンロッド４２の長さも、それが可能なように設定されている。
【００３５】
なお、図示はしないが、本体ケース２１には、必要に応じて、シュリンクフィルムなどからなる様々なデザインを有した装飾シートが被覆されるなどして適宜装飾される。
【００３６】
このように構成された応援具１１では、グリップ側を手前に向けた姿勢で保持し、グリップエンド部材４７を有するピストンロッド４２を押したり引いたりすると、ピストン４１のピストンヘッド４３が本体ケース２１の直線状部２４（図３のｓ部分の範囲内）を往復動する。そして、ピストン４１を押し込んだときにエア噴出ノズル３２からエアが噴出される。
【００３７】
このため、図１に示したような風船８１を、その口金部分８２をエア噴出ノズル３２の円錐状面３３に取り付けて手で保持したのち、ピストンロッド４２を押したり引いたりする動作を繰り返すと風船８１が膨らむ。風船８１が膨らんだ後は、風船８１の口金部分８２がエア噴出ノズル３２から脱落しないように手を添えて、風船８１を飛ばす瞬間を待てばよい。
【００３８】
このように、息を吹き込まなくとも風船８１を膨らませることができるので、女性や子どもでも楽しみながら膨らませることができる。しかも、風船８１を膨らましているときに、声を張り上げて声援したり、飲食したりすることも可能である。また、膨らませた風船８１は、エア噴出ノズル３２に取り付けたままにしておけば、風船８１の口金部分８２を親指で押えつづける必要もなく、風船８１を放すべきタイミングまで容易に待つことができ、発射のタイミングを逸することを回避できる。
【００３９】
そのうえ、閉塞板３１等の必要な部材はバットを形作る本体ケース２１に対して直接収納した簡素な構成であり、必要な部材を少なくすることができ、製造作業の容易化やコストの低減を図ることが可能で、しかも重量を軽くすることができる。このため、振ったり叩いたりして使用する応援具１１としての機能も発揮できる。
【００４０】
以下、図４〜図１０を用いてその他の例を説明する。  
図４は、ピストン４１を操作する時に、各部に対して負荷がかからないようにして、耐久性を増した応援具１１の断面図である。すなわち、ピストン４１を押し込んだときにピストンヘッド４３と閉塞板３１、またはグリップエンド部材４７と本体ケース２１のエンドキャップ２８とが衝突しないようにする目的で、エンドキャップ２８のグリップエンド部材４７側の面に、圧縮コイルばねを保持して、押し込み用緩衝部５１としている。
【００４１】
また、ピストン４１を引いた時にピストンヘッド４３が直線状部２４のグリップ側の端部に当たってピストンヘッド４３とピストンロッド４２の連結部に無理な負荷がかからないようにする目的で、ピストンロッド４２の長さ方向の中間部であって、引き出し限界位置まで引き出した時に本体ケース２１のエンドキャップ２８の上面に対応する位置に、鍔部４８を備えており、この鍔部４８の下面に圧縮コイルばねを保持して、引き出し用緩衝部５２としている。
【００４２】
このように押し込み用緩衝部５１と引き出し用緩衝部５２とを有することによって、ピストン４１の往復動の始点と終点とにおいて緩衝作用がなされるので、各部に無理な負荷がかからず、不測の損傷を防ぐことができる。  
各緩衝部としては、上記の他にたとえばスポンジやゴム等を用いることもできる。
【００４３】
図５は、ピストン４１を往復動させるときに、相互に接離する部位の対向部分、すなわち対向面またはその近傍を、相互に接合して保持する接合手段を設けた例である。接合手段は、これを設けるべき部位の形態に応じて適宜形成されるが、上記の図１〜図３に示した構造の場合には、たとえば次のように構成される。
【００４４】
すなわち、本体ケース２１のエンドキャップ２８側に相対的に接離するグリップエンド部材４７に、本体ケース２１に対して嵌合する嵌合筒部４７ａが形成されている。嵌合筒部４７ａは軟質の合成樹脂で形成され、本体ケース２１に対して押し込んだときに嵌め込むことができその状態が保持される大きさに形成されている。この他に、相互に螺合し合うねじ構造を設けることも、相互に接離する対向面に面ファスナ等の係止手段を固定することもできる。
【００４５】
このようにして接合手段を設けると、応援具１１を振ったり叩いたりした時に応援具１１が不測に伸びたりすることがなく、安全に使用できる。
【００４６】
図６は、エア噴出ノズル３２に対して着脱可能で、エアを吹き込むと音を発する笛部材６１を備えた例である。笛部材６１は、図６（ａ）に示したように筒状をなし、内部にリード６２を備えて構成されている。リード６２を有するこのタイプのほか、たとえばホイッスル型のものなど適宜の笛部材が使用できる。この笛部材６１には図示はしないが紐等の係留部材を取り付けて、適宜の部位に係留するとよい。また、笛部材６１を使用しないときに収納できるようにするために、図示した如くグリップエンド部材４７に空洞部４７ｂを形成し、この空洞部４７ｂに、板ばねからなる保持部材４７ｃを保持し、図６（ｂ）に示したように笛部材６１を着脱自在に保持することもできる。
【００４７】
このように笛部材６１を備えると、笛部材６１をエア噴出ノズル３２に取り付けた状態でピストン４１を押し込めば、音を出すことができる。しかも、笛部材６１の構造によって、低い音や高い音など様々な音を出すこともできる。つまり、振ったり叩いたりして応援するほか、そのような動作では出せない音で応援をすることもでき、機能の拡大を図ることが可能である。
【００４８】
図７は、応援具１１を２本の応援具担体１１ａ，１１ａを鎖状部材４８で連結してヌンチャクのような形態にした例を示している。各応援具担体１１ａは、図１に示した応援具１１と同様の構成であるので、同一の符号を付して構造の詳しい説明は省略する。なお、グリップエンド部材４７の底面には、突起部４７ｄが設けられ、上記鎖状部材４８の端部が固定されている。また、本体ケース２１の形態は、図１に図示したものよりも細長く形成して、ヌンチャクのような形態に適したものとしている。
【００４９】
このように構成した応援具１１では、一つの応援具１１で２個の風船を同時に膨らませることができる。１人で使用するほか、２人で使用してもよい。また、図８に示したように、応援具担体１１ａ同士を打ち合わせて応援することも可能である。
【００５０】
図９は、エア噴出ノズル３２が本体ケース２１におけるバットのグリップ側に形成され、ピストンロッド４２の基端部に、バットのヘッド部分を模したヘッド部材４９が固定された例である。なお、説明に際して上記の構成と同様の構成部分については同一の符号を付して詳しい説明を省略する。
【００５１】
すなわち、本体ケース２１は、直線状部２４と、この直線状部２４の一端から徐々に拡径する一体のテーパ面部２５とを有し、直線状部２４が、バットのグリップに相当する部分に設定されている。そして直線状部２４内におけるグリップエンド側の開口部２２に、閉塞板３１が固定されており、この閉塞板３１に対して進退するようにピストン４１のピストンヘッド４３が摺動可能に保持されている。また、閉塞板３１にはエア噴出ノズル３２が設けられ、その円錐状面３３がグリップエンドの形状を模したカバー部材３５の底面から突出している。本体ケース２１におけるテーパ面部２５の開口部２３には、中央に挿通孔２７を有するエンドキャップ２８が固定されている。
【００５２】
ピストン４１におけるピストンロッド４２の長さ方向の中間部には、外周方向に張り出す鍔状部４２ａが形成され、この鍔状部４２ａが上記のエンドキャップ２８に当接することで、ピストン４１のピストンヘッド４３が直線状部２４から脱落するのを阻止している。
【００５３】
また、ピストンロッド４２の基端部に固定されるヘッド部材４９は、有底円筒状に形成されている。ヘッド部材４９の開口部には固定部材４９ａが固定され、この固定部材４９ａにピストンロッド４２が固定されている。固定部材４９ａは円板状であればよいが、ピストンロッド４２を強固に保持できれば、その他の形態のものであるもよい。
【００５４】
このように構成された応援具１１では、バットのヘッドを手前に向けて持って、ヘッド部材４９を往復動させればエアを噴出させることができるが、図９に仮想線で示したように、座席シートの座面やその他の平面部分９１に立てた状態にして、本体ケース２１を往復動させてエアを噴出させることもできる。すなわち、風船を膨らませる場合、風船を保持する手で本体ケース２１を往復動させることができるので、片手でも容易に風船を膨らませることが可能である。
【００５５】
このため、たとえば両手に応援具１１を持つことによって、一度に２個の風船を膨らませることもできて便利である。また、飲食等も可能である。
【００５６】
さらに、風船を膨らませるのに、ヘッド部材４９を両膝の間に挟み込んで保持することもできる。グリップ側を両膝に挟み込んで保持しようとしてもグリップ側は太さを太くできないため強固な保持が不可能であるが、ヘッド側のヘッド部材４９であれば、太さを太くすることができるため強固な保持が可能で、容易に、しかも確実に作業を行うことができる。
【００５７】
図１０は、エア噴出ノズル３２が本体ケース２１におけるバットのグリップ側に形成され、ピストンロッド４２の基端部に、バットのヘッド側部分を模したヘッド部材４９が固定された場合のその他の例を示している。
【００５８】
すなわち、図１０（ａ）は、本体ケース２１を、直線状部２４を構成する直線状部材２１ａと、直線状部材２１ａの外周に固定され徐々に拡径するテーパ面部２５を形成するテーパ面部形成部材２１ｂとで構成した例である。直線状部材２１ａとテーパ面部形成部材２１ｂは、別個に成形された後、接着や溶着などで強固に一体化されている。すなわち、ピストンヘッド４３が往復動する直線状部２１ａを長く形成することができる。このように構成すれば一回の操作で噴出すエアの量を多くすることが可能である。その他の構成は図９に示した応援具１１と同様である。
【００５９】
図１０（ｂ）は、本体ケース２１のテーパ面部２５が、直線状部２４に対して、エア噴出操作に際して分離するように間接的に設けられた例である。つまり、直線状部２４を構成する直線状部材２１ａでグリップ部分を形成し、テーパ面部２５を構成するテーパ面部形成部材２１ｂがヘッド部材４９に固定されている。このとき、ピストン４１のピストンロッド４２の基端部は、一体化するテーパ面部形成部材２１ｂとヘッド部材４９との間の部分に固定される固定部材４９ａに取り付けられ、各部の堅固な状態を得るようにしている。このような構成の応援具１１において、ピストン４１のピストンロッド４２をヘッド部材４９の固定部材４９ａに対して、たとえばねじ等で着脱可能にすれば、必要に応じて１個の応援具１１を分離することができ、風船の膨らましと、振ったり叩いたりしての応援との２通りの使用が同時にできる。
【００６０】
この考案の構成と、上記の一形態の構成との対応において、  
この考案の開口部は、上記の一形態の開口部２２に対応し、  
以下同様に、  
変形部は、テーパ面部２５及びグリップ面部２６に対応し、  
バットのグリップ又はグリップエンドを模した象形部材は、グリップエンド部材４７に対応し、  
バットのヘッド側部分を模した象形部材は、ヘッド部材４９に対応し、  
接合手段は、嵌合筒部４７ａに対応するも、  
この考案は、上記の構成のみに限定されるものではなく、その他の形態を採用することもできる。
【図面の簡単な説明】
【００６１】
【図１】バット型応援具の斜視図。
【図２】バット型応援具の縦断面図。
【図３】バット型応援具の作用状態を示す断面図。
【図４】他の例に係るバット型応援具の断面図。
【図５】他の例に係るバット型応援具の部分断面図。
【図６】他の例に係るバット型応援具の構造説明図。
【図７】他の例に係るバット型応援具の正面図。
【図８】図７に示したバット型応援具の使用状態の説明図。
【図９】他の例に係るバット型応援具の正面図。
【図１０】他の例に係るバット型応援具の正面図。
【符号の説明】
【００６２】
１１…バット型応援具
２１…本体ケース
２２…開口部
２４…直線状部
２５…テーパ面部
２６…グリップ面部
３１…閉塞板
３２…エア噴出ノズル
４１…ピストン
４２…ピストンロッド
４３…ピストンヘッド
４７…グリップエンド部材
４７ａ…嵌合筒部
４９…ヘッド部材
【図１】
0003131226.tif 000003
【図２】
0003131226.tif 000004
【図３】
0003131226.tif 000005
【図４】
0003131226.tif 000006
【図５】
0003131226.tif 000007
【図６】
0003131226.tif 000008
【図７】
0003131226.tif 000009
【図８】
0003131226.tif 000010
【図９】
0003131226.tif 000011
【図１０】
0003131226.tif 000012